(57)【要約】      （修正有）【課題】移動性が良く、洗浄液をリサイクルして再利用することができる洗浄用組合せ式台車を提供する。【解決手段】台車ボディー１１と、洗浄槽１３と、液体貯蔵タンク１５と、洗浄液供給設備と、を含み、台車ボディー１１は、筐体であり、洗浄槽１３は、台車ボディー１１の上端に設けられ、適当なサイズを有するワークを洗浄可能であり、その底部には液体排出穴１３１が開設され、液体貯蔵タンク１５は、液体排出穴１３１の下に設けられ、所定量の洗浄液を収容可能であり、液体排出穴１３１からの洗浄液を受け可能であり、洗浄液供給設備は、動力源とすることができ、その液体排出端１７２は、洗浄槽１３の上方に設けられ、排出される洗浄液がワークの洗浄に提供され、その液体吸込端１７３は、液体貯蔵タンク１５に差込まれており、液体排出端１７２と液体吸込端１７３とを循環管路によって連接して構成する。【選択図】図１
0003147432.tif 000002
【実用新案登録請求の範囲】
【請求項１】
台車ボディーと、洗浄槽と、液体貯蔵タンクと、洗浄液供給設備と、を含む洗浄用組合せ式台車において、
前記台車ボディーは、筐体であり、前記洗浄槽は、前記台車ボディーの上端に設けられており、適当なサイズを有するワークを洗浄可能であり、前記洗浄槽の底部には液体排出穴が開設されており、前記液体貯蔵タンクは、前記液体排出穴の下に設けられており、所定量の洗浄液を収容可能であり、前記液体排出穴からの洗浄液を受け可能であり、
前記洗浄液供給設備は、動力源とすることができ、その液体排出端は、前記洗浄槽の上方に設けられており、排出される洗浄液がワークの洗浄に提供され、その液体吸込端は、前記液体貯蔵タンクに差込まれており、なお、前記液体排出端と前記液体吸込端とが若干の循環管路によって連接されており、これにより、洗浄液が前記洗浄槽と前記液体貯蔵タンクとの間に循環可能であることを特徴とする、洗浄用組合せ式台車。
【請求項２】
前記台車ボディーの底端には、台車の移動を便利するためのローラが若干に設けられていることを特徴とする、請求項１に記載の洗浄用組合せ式台車。
【請求項３】
前記液体貯蔵タンクの上端には、ワークの切り屑をろ過するためのろ過盤が組み付けられていることを特徴とする、請求項１に記載の洗浄用組合せ式台車。
【請求項４】
前記洗浄槽の上に設けられた前記液体排出端にはノズルが設けられていることを特徴とする、請求項１に記載の洗浄用組合せ式台車。
【請求項５】
前記液体貯蔵タンク内に設けられた前記液体吸込端には、前記液体貯蔵タンクの底部まで沈められた小径なチューブが設けられていることを特徴とする、請求項１に記載の洗浄用組合せ式台車。
【請求項６】
前記台車ボディーの周面には品物を掛けるためのフックが若干に設けられていることを特徴とする、請求項１に記載の洗浄用組合せ式台車。
【請求項７】
前記台車ボディーの周面にはロッド形状を呈する品物を挟むための挟係具が若干に設けられており、これらの挟係具の両側には、外側へ移動可能でありロッド形状を呈する品物を押付け可能である係りロッドが設けられていることを特徴とする、請求項１に記載の洗浄用組合せ式台車。
【請求項８】
前記洗浄液供給設備のモータは洗浄液を循環するための動力を提供することを特徴とする、請求項１に記載の洗浄用組合せ式台車。
【請求項９】
台車ボディーと、洗浄槽と、洗浄液供給設備と、を含む洗浄用組合せ式台車において、
前記台車ボディーは、組合せ式の台車であり、
前記洗浄槽は、前記台車ボディーの上端に設けられており、適当なサイズを有するワークを洗浄可能であり、上下層に分けられており、
前記洗浄液供給設備は、動力源とすることができ、その液体排出端は、前記洗浄槽の上方に設けられており、排出される洗浄液がワークの洗浄に提供され、その液体吸込端は、前記洗浄槽の下層に差込まれており、なお、前記液体排出端と前記液体吸込端とが若干の循環管路によって連接されており、これにより、洗浄液が前記洗浄槽の上層と下層との間に循環可能であることを特徴とする、洗浄用組合せ式台車。
【請求項１０】
前記洗浄液供給設備の掘下げポンプは洗浄液を循環するための動力を提供することを特徴とする、請求項９に記載の洗浄用組合せ式台車。
【考案の詳細な説明】
【技術分野】
【０００１】
本考案は、ワークを洗浄するための設備に関し、特に、移動性が良く、洗浄液をリサイクルして再利用することができる洗浄用組合せ式台車に関するものである。
【背景技術】
【０００２】
加工されたワークは、前記ワークに付着された切り屑やゴムを洗浄しなければいけないことが周知なことであり、なお、洗浄工程は、ワークの材質（例えば金属、又は樹脂など）によって相違し、例えばエア噴射、洗浄液や洗浄油による洗浄などの方式が使用され、しかし、これらの洗浄方式は、大型の機械によって実施することが多く、大型の機械の移動性が悪いので、大型の機械に洗浄したいワークを持ち込み、又は輸送することが必要であり、そうすると、工数が増加し、そして作業者の作業負荷が増加する。
【考案の開示】
【考案が解決しようとする課題】
【０００３】
本考案の主な目的は、移動性が良く、洗浄液をリサイクルして再利用することができる洗浄用組合せ式台車を提供することにある。
【課題を解決するための手段】
【０００４】
本考案の請求項１に記載の洗浄用組合せ式台車によると、台車ボディーと、洗浄槽と、液体貯蔵タンクと、洗浄液供給設備と、を含む洗浄用組合せ式台車において、前記台車ボディーは、筐体であり、前記洗浄槽は、前記台車ボディーの上端に設けられており、適当なサイズを有するワークを洗浄可能であり、その底部には液体排出穴が開設されており、前記液体貯蔵タンクは、前記液体排出穴の下に設けられており、所定量の洗浄液を収容可能であり、前記液体排出穴からの洗浄液を受け可能であり、前記洗浄液供給設備は、動力源とすることができ、その液体排出端は、前記洗浄槽の上方に設けられており、排出される洗浄液がワークの洗浄に提供され、その液体吸込端は、前記液体貯蔵タンクに差込まれており、なお、前記液体排出端と前記液体吸込端とが若干の循環管路によって連接されており、これにより、洗浄液が前記洗浄槽と前記液体貯蔵タンクとの間に循環可能であることを特徴とする洗浄用組合せ式台車である。
【０００５】
本考案の請求項２に記載の洗浄用組合せ式台車によると、前記台車ボディーの底端には、台車の移動を便利するためのローラが若干に設けられている。
【０００６】
本考案の請求項３に記載の洗浄用組合せ式台車によると、前記液体貯蔵タンクの上端には、ワークの切り屑をろ過するためのろ過盤が組み付けられている。
【０００７】
本考案の請求項４に記載の洗浄用組合せ式台車によると、前記洗浄槽の上に設けられた前記液体排出端にはノズルが設けられている。
【０００８】
本考案の請求項５に記載の洗浄用組合せ式台車によると、前記液体貯蔵タンク内に設けられた前記液体吸込端には、前記液体貯蔵タンクの底部まで沈められた小径なチューブが設けられている。
【０００９】
本考案の請求項６に記載の洗浄用組合せ式台車によると、前記台車ボディーの周面には品物を掛けるためのフックが若干に設けられている。
【００１０】
本考案の請求項７に記載の洗浄用組合せ式台車によると、前記台車ボディーの周面にはロッド形状を呈する品物を挟むための挟係具が若干に設けられており、これらの挟係具の両側には、外側へ移動可能でありロッド形状を呈する品物を押付け可能である係りロッドが設けられている。
【００１１】
本考案の請求項８に記載の洗浄用組合せ式台車によると、前記洗浄液供給設備のモータは洗浄液を循環するための動力を提供する。
【００１２】
本考案の請求項９に記載の洗浄用組合せ式台車によると、台車ボディーと、洗浄槽と、洗浄液供給設備と、を含む洗浄用組合せ式台車において、前記台車ボディーは、組合せ式の台車であり、前記洗浄槽は、前記台車ボディーの上端に設けられており、適当なサイズを有するワークを洗浄可能であり、上下層に分けられており、前記洗浄液供給設備は、動力源とすることができ、その液体排出端は、前記洗浄槽の上方に設けられており、排出される洗浄液がワークの洗浄に提供され、その液体吸込端は、前記洗浄槽の下層に差込まれており、なお、前記液体排出端と前記液体吸込端とが若干の循環管路によって連接されており、これにより、洗浄液が前記洗浄槽の上層と下層との間に循環可能であることを特徴とする洗浄用組合せ式台車である。
【００１３】
本考案の請求項１０に記載の洗浄用組合せ式台車によると、前記洗浄液供給設備の掘下げポンプは洗浄液を循環するための動力を提供する。
【考案の効果】
【００１４】
本考案の洗浄用組合せ式台車によれば、移動性が良く、洗浄液をリサイクルして再利用することができるという効果を有する。
【考案を実施するための最良の形態】
【００１５】
以下、本考案の実施の形態を図面に基づいて説明する。
【実施例１】
【００１６】
まず、図１及び図２を参照する。本考案に係る洗浄用組合せ式台車は、台車ボディー１１と、洗浄槽１３と、液体貯蔵タンク１５と、洗浄液供給設備１７と、を含む。
【００１７】
前記台車ボディー１１は、筐体であり、底端には台車の移動を便利するためのローラが若干に設けられており、左右側の上端には手すり１１２がそれぞれ設けられており、ユーザは前記手すり１１２を握って前記台車ボディー１１を移動することができ、且つ前記各手すり１１２の下には、品物を掛けるための若干のフック１１３と、ロッド形状を呈する品物（例えばブラシやモップなど）を挟むための若干の挟係具１１４とが設けられており、図５及び図６に示すように、側面から見れば、前記フック１１３がほぼＬ字形を呈し、これらの挟係具１１４の両側には、外側へ移動可能でありロッド形状を呈する品物を押付け可能である係りロッドが設けられており、また、前記台車ボディー１１の両側辺には、図６に示すように、相互に係合可能な、突出片１１５１と係り穴１１５３と、又は突出片１１５２と係り穴１１５４と、から構成される係止ユニット１１５が設けられており、そうすると、前記台車ボディー１１の使用性及び見栄えが向上する。
【００１８】
前記洗浄槽１３は、前記台車ボディー１１の上端に設けられており、適当なサイズを有するワークを洗浄可能であり、その底部には液体排出穴１３１が開設されており、ワークを洗浄する洗浄液Ｗが前記液体排出穴１３１から排出される。
【００１９】
前記液体貯蔵タンク１５は、円筒であり、前記台車ボディー１１の下に設けられており、前記洗浄槽１３の液体排出穴１３１の下に設けられており、洗浄液Ｗを収容可能であり、前記液体貯蔵タンク１５の上端には、ワークの切り屑をろ過するためのろ過盤１６が組み付けられており、前記ろ過盤１６にはろ過用穴１６１が多数に開設されており、前記液体貯蔵タンク１５は、前記液体排出穴１３１からの洗浄液Ｗを受け可能である。
【００２０】
前記洗浄液供給設備１７は、動力源とするモータ１７１を含み、前記台車ボディー１１内に設けられており、その液体排出端１７２は、前記洗浄槽１３の上方に設けられており、排出される洗浄液Ｗがワークの洗浄に提供され、その液体吸込端１７３は、前記ろ過盤の中心穴１６２に貫入して前記液体貯蔵タンク１５の底部まで差込まれた小径なチューブと連接しており、前記液体排出端１７２と前記液体吸込端１７３とが若干の循環管路１７４によって連接されており、これにより、洗浄液Ｗが前記洗浄槽１３と前記液体貯蔵タンク１５との間に循環可能であり、もちろん、エアによってワークに付着された切り屑などを除去する場合には、エアポンプ（図示せず）と接続している制御弁１７５によってエアの吹出を制御することができる。
【００２１】
また、本考案に係る洗浄用組合せ式台車は、台車ボディー１１の底端には台車の移動を便利するためのローラ１１１が若干に設けられているので、固定された大型の洗浄設備に、洗浄したいワークを持ち込み、又は輸送することが必要なくなり、これにより、工数が減少し、そして作業者の作業負荷が減少する。
【００２２】
次に、図３及び図４を参照しながら本考案に係る洗浄用組合せ式台車の使用状態を説明する。前記洗浄液供給設備１７のモータ１７１が運転しているときには、前記液体貯蔵タンク１５の底部まで差込まれた液体吸込端１７３の小径なチューブから洗浄液Ｗが吸上げられて、洗浄液Ｗは、循環管路を経由して前記液体排出端１７２のノズルからワークに噴出されてワークを洗浄して、洗浄槽１３の液体排出穴１３１から下に排出されて、前記ろ過盤１６に開設されたろ過用穴１６１によって洗浄液Ｗに混入した切り屑などを除去した後、洗浄液Ｗが液体貯蔵タンク１５に流入され、これにより、洗浄液Ｗが前記洗浄槽１３と前記液体貯蔵タンク１５との間に循環可能である。
【実施例２】
【００２３】
本実施例に係る洗浄用組合せ式台車は、台車ボディー１１と、洗浄槽１３と、洗浄液供給設備１７と、を含む。本実施例に係る前記洗浄槽１３は、上下層に分けられている。
【００２４】
前記洗浄液供給設備１７は、動力源とすることができ、その液体排出端は、前記洗浄槽の上方に設けられており、排出される洗浄液がワークの洗浄に提供され、その液体吸込端は、前記洗浄槽の下層に差込まれており、なお、前記液体排出端と前記液体吸込端とが若干の循環管路によって連接されており、これにより、洗浄液が前記洗浄槽の上層と下層との間に循環可能であり、そして前記洗浄液供給設備１７の掘下げポンプは洗浄液を循環するための動力を提供する。
【図面の簡単な説明】
【００２５】
【図１】本考案の実施例１に係る洗浄用組合せ式台車の組合せ状態の斜視図である。
【図２】図１における液体貯蔵タンクの一部の分解斜視図及び洗浄液供給設備の一部の透視図である。
【図３】本考案に係る洗浄用組合せ式台車の洗浄液の循環管路を示す模式図である。
【図４】本考案に係る洗浄用組合せ式台車の洗浄液の循環管路を示す模式図である。
【図５】本考案の実施例２に係る洗浄用組合せ式台車の組合せ状態の斜視図である。
【図６】図５における台車ボディーの分解斜視図である。
【符号の説明】
【００２６】
１１      台車ボディー
１３      洗浄槽
１５      液体貯蔵タンク
１６      ろ過盤
１７      洗浄液供給設備
１１１    ローラ
１１２    手すり
１１３    フック
１１４    挟係具
１１５    係止ユニット
１３１    液体排出穴
１６１    ろ過用穴
１６２    中心穴
１７１    モータ
１７２    液体排出端
１７３    液体吸込端
１７４    循環管路
１７５    制御バルブ
１１５１  突出片
１１５２  突出片
１１５３  係り穴
１１５４  係り穴
Ｗ        洗浄液
【図１】
0003147432.tif 000003
【図２】
0003147432.tif 000004
【図３】
0003147432.tif 000005
【図４】
0003147432.tif 000006
【図５】
0003147432.tif 000007
【図６】
0003147432.tif 000008